(57)【要約】【解決手段】本発明は、ＲＴＳＰに基づいてマルチメディアを制御する方法を開示する。この方法は、ａ）マルチメディア端末機の使用者がマルチメディアの再生を選択する場合、上記マルチメディア端末機の状態を確認する段階；ｂ）段階ａ）の確認結果に基づいて、選択された上記マルチメディアデータを要請するPLAYメッセージを発生させ、生成された上記PLAYメッセージを無線データ通信網を通してメディアサーバに転送する段階；ｃ）段階ｂ）以降、上記マルチメディア端末機の状態が変更されたかを判断する段階；及び、段階ｃ）の判断の結果、上記マルチメディア端末機の状態が変更された場合、この変動した状態に対応する命令メッセージを生成し、生成された上記命令メッセージを転送する段階；を含む。
2007521776.tif 000002
【特許請求の範囲】
【請求項１】
ａ）マルチメディア端末機の使用者がマルチメディアの再生を選択する場合、上記マルチメディア端末機の状態を確認する段階；
ｂ）段階ａ）の確認結果に基づいて、選択された上記マルチメディアデータを要請するPLAYメッセージを発生させ、生成された上記PLAYメッセージを無線データ通信網を通してメディアサーバに転送する段階；
ｃ）段階ｂ）以降、上記マルチメディア端末機の状態が変更されたかを判断する段階；及び、
ｄ）段階ｃ）の判断の結果、上記マルチメディア端末機の状態が変更された場合、この変動した状態に対応する命令メッセージを生成し、生成された上記命令メッセージを転送する段階；を含むことを特徴とするマルチメディア端末におけるＲＴＳＰ基盤のマルチメディア制御方法。
【請求項２】
上記命令メッセージは、SET_PARAMETERメッセージを通して提供されることを特徴とする請求項１に記載のマルチメディア端末におけるＲＴＳＰ基盤のマルチメディア制御方法。
【請求項３】
上記マルチメディア端末機の状態は、電話ベルの振動モード又はディスプレイモードを含むことを特徴とする請求項１に記載のマルチメディア端末におけるＲＴＳＰ基盤のマルチメディア制御方法。
【請求項４】
上記段階ａ）において、マルチメディア端末機の状態が使用者が画面を見れないモードであると判断された場合、上記PLAYメッセージは、上記マルチメディアのデータからビデオデータを除外することを要請するメッセージであることを特徴とする請求項３に記載のマルチメディア端末おけるＲＴＳＰ基盤のマルチメディア制御方法。
【請求項５】
上記段階ａ）において、マルチメディア端末機の状態が振動モードであると判断された場合、上記PLAYメッセージは、上記マルチメディアのデータからオーディオデータを除外することを要請するメッセージであることを特徴とする請求項４に記載のマルチメディア端末におけるＲＴＳＰ基盤のマルチメディア制御方法。
【請求項６】
上記命令メッセージは、上記マルチメディアを構成する少なくとも一つ以上のメディアの各々を制御する命令を含むことを特徴とする請求項１に記載のマルチメディア端末におけるＲＴＳＰ基盤のマルチメディア制御方法。
【請求項７】
上記段階ｃ）において、上記マルチメディア端末機が振動モード又は振動解除モードに変更されたと判断する場合、上記段階ｄ）で生成される上記命令メッセージは、オーディオメディア転送の中止又は再開の要請であることを特徴とする請求項６に記載のマルチメディア端末におけるＲＴＳＰ基盤のマルチメディア制御方法。
【請求項８】
上記段階ｃ）において、上記マルチメディア端末機が画面閉鎖又は画面開放モードに変更されたと判断する場合、上記段階ｄ）で生成される上記命令メッセージは、ビデオメディア転送の中止又は再開の要請であることを特徴とする請求項６に記載のマルチメディア端末におけるＲＴＳＰ基盤のマルチメディア制御方法。
【請求項９】
上記命令メッセージは、SET_PARAMETERメッセージを通して提供され、上記SET_PARAMETERメッセージは上記メディアの制御のために定義された少なくとも一つ以上のパラメーター（parameter）を含むことを特徴とする請求項１に記載のマルチメディア端末におけるＲＴＳＰ基盤のマルチメディア制御方法。
【請求項１０】
無線データ通信網でＲＴＳＰによってマルチメディアデータを配布する方法において、
ａ）ＲＴＳＰによってマルチメディア端末機で要請したマルチメディアデータを上記無線データ通信網を通して上記マルチメディア端末機に転送する段階；及び、
ｂ）段階ａ）により上記マルチメディア端末機に上記マルチメディアデータを転送する間に、上記マルチメディア端末機から上記マルチメディアデータを制御するための命令が発生した場合、上記命令に従って上記マルチメディアデータを再構成し、再構成された上記マルチメディアデータを上記マルチメディア端末機に転送する段階；を含むことを特徴とする無線データ通信網におけるＲＴＳＰ基盤のマルチメディア制御方法。
【請求項１１】
上記命令は、SET_PARAMETERメッセージを通して提供されることを特徴とする請求項１０に記載の無線データ通信網におけるＲＴＳＰ基盤のマルチメディア制御方法。
【請求項１２】
上記命令は、上記メディアデータの転送中断の要請又は再転送の要請を含むことを特徴とする請求項１０に記載の無線データ通信網におけるＲＴＳＰ基盤のマルチメディア制御方法。
【請求項１３】
上記命令は、SET_PARAMETERの少なくとも一つ以上のパラメーター（parameter）により定義されることを特徴とする請求項１０に記載の無線データ通信網におけるＲＴＳＰ基盤のマルチメディア制御方法。
【請求項１４】
上記メディアデータはビデオファイル、オーディオファイル及びテキストファイルのうち少なくとも一つ以上を含み、上記命令は上記ビデオファイル、オーディオファイル及びテキストファイル各々に対する転送中断の要請又は再転送の要請を含むことを特徴とする請求項１０に記載の無線データ通信網におけるＲＴＳＰ基盤のマルチメディア制御方法。
【請求項１５】
無線データ通信網でＲＴＳＰによってメディアを配布する方法において、
ａ）マルチメディア端末機からのメディア要請をメディアサーバで受信する段階；
ｂ）上記マルチメディア端末機からの要請を受信する場合、この要請されたメディアデータを上記マルチメディア端末機に転送する段階；及び、
ｃ）段階ｂ）により上記マルチメディアデータを上記マルチメディア端末機に転送する間に、上記マルチメディア端末機からの上記マルチメディアデータの制御のための命令が発生した場合、上記命令に従って上記マルチメディアデータを制御する段階；を含み、
上記命令はSET_PARAMETERメッセージを通して提供され、上記マルチメディアデータはビデオファイル、オーディオファイル及びテキストファイルのうち少なくとも一つ以上を含み、上記命令は上記ビデオファイル、オーディオファイル及びテキストファイル各々に対する転送中断の要請又は再転送の要請を含むことを特徴とする無線データ通信網におけるＲＴＳＰ基盤のマルチメディア制御方法。
【請求項１６】
上記マルチメディア端末機は、上記命令を転送して所定時間上記命令に対する応答がない場合は上記命令を再転送し、上記再転送が所定回数繰り返される場合は上記命令の転送を無視することを特徴とする請求項１５に記載の無線データ通信網におけるＲＴＳＰ基盤のマルチメディア制御方法。
【請求項１７】
上記命令は、SET_PARAMETERの少なくとも一つ以上のパラメーター（parameter）により定義されることを特徴とする請求項１５に記載の無線データ通信網におけるＲＴＳＰ基盤のマルチメディア制御方法。
【請求項１８】
ａ）マルチメディア端末機の使用者がマルチメディアの再生を選択する場合、上記マルチメディア端末機の状態を確認する段階；
ｂ）段階ａ）の確認結果に基づいて、選択された上記マルチメディアデータを要請するPLAYメッセージを発生させ、生成された上記PLAYメッセージを無線データ通信網を通してメディアサーバに転送する段階；
ｃ）上記マルチメディア端末機からの上記PLAYメッセージを上記メディアサーバで受信する場合、該メディアサーバで上記PLAYメッセージに従ってマルチメディアデータを上記マルチメディア端末機に転送する段階；
ｄ）段階ｂ）以降、上記マルチメディア端末機で同マルチメディア端末機の状態が変更されたかを判断する段階；
ｅ）段階ｃ）の判断の結果、上記マルチメディア端末機の状態が変更された場合、この変動した状態に対応するSET_PARAMETERメッセージを生成し、生成された上記SET_PARAMETERメッセージを上記メディアサーバに転送する段階；及び、
ｆ）段階ｃ）により上記マルチメディアデータを上記マルチメディア端末機に転送する間に、上記SET_PARAMETERメッセージを上記メディアサーバで受信する場合、上記SET_PARAMETERメッセージに従って上記マルチメディアデータを制御する段階；を含むことを特徴とする無線データ通信網でのＲＴＳＰ基盤のマルチメディア制御方法。
【請求項１９】
上記マルチメディア端末機の状態は、電話ベルの振動モード又はディスプレイモードを含むことを特徴とする請求項１８に記載の無線データ通信網におけるＲＴＳＰ基盤のマルチメディア制御方法。
【請求項２０】
上記段階ａ）において、マルチメディア端末機の状態が使用者が画面を見れないモードであると判断された場合、上記PLAYメッセージは、上記マルチメディアのデータからビデオデータを除外することを要請するメッセージであることを特徴とする請求項１９に記載の無線データ通信網におけるＲＴＳＰ基盤のマルチメディア制御方法。
【請求項２１】
上記段階ａ）において、マルチメディア端末機の状態が振動モードであると判断された場合、上記PLAYメッセージは、上記マルチメディアのデータからオーディオデータを除外することを要請するメッセージであることを特徴とする請求項１９に記載の無線データ通信網におけるＲＴＳＰ基盤のマルチメディア制御方法。
【請求項２２】
上記SET_PARAMETERメッセージは、上記マルチメディアを構成する少なくとも一つ以上のメディアの各々を制御する命令を含むことを特徴とする請求項１８に記載の無線データ通信網におけるＲＴＳＰ基盤のマルチメディア制御方法。
【請求項２３】
上記段階ｄ）において、上記マルチメディア端末機が振動モード又は振動解除モードに変更されたと判断する場合、上記段階ｅ）で生成される上記SET_PARAMETERメッセージは、オーディオメディア転送の中止又は再開の要請であることを特徴とする請求項２２に記載の無線データ通信網におけるＲＴＳＰ基盤のマルチメディア制御方法。
【請求項２４】
上記段階ｄ）において、上記マルチメディア端末機が画面閉鎖又は画面開放モードに変更されたと判断する場合、上記段階ｅ）で生成される上記SET_PARAMETERメッセージは、ビデオメディア転送の中止又は再開の要請であることを特徴とする請求項２２に記載の無線データ通信網における端末でのＲＴＳＰ基盤のマルチメディア制御方法。
【請求項２５】
上記SET_PARAMETERメッセージは、上記メディア制御のために定義された少なくとも一つ以上のパラメーター（parameter）を含むことを特徴とする請求項１８に記載の無線データ通信網におけるＲＴＳＰ基盤のマルチメディア制御方法。
【発明の詳細な説明】
【技術分野】
【０００１】
本発明は、ＲＴＳＰ（Real Time Streaming Protocol）に基づいてマルチメディアを制御する方法に関し、特に、無線データ通信網を通してマルチメディアをサービスする際に、ＲＴＳＰに基づいてマルチメディア端末機から制御命令が発生し、これによってメディアデータをマルチメディア端末機に提供するＲＴＳＰ基盤の動的マルチメディア制御方法に関する。
【背景技術】
【０００２】
現在、無線データ通信網を通して、加入者はマルチメディア端末機を用いて多様なマルチメディアサービスを受けることができる。マルチメディアサービスは、無線データ通信網を通した広大なデータの受信を意味する。無線データ通信網において、マルチメディアサービス利用料金の賦課は、通常、パケット（Packet）を単位とする。従って、無線データ通信網を通して動画のようなマルチメディアサービスを受ける場合、加入者は相当な費用をサービス供給者に支払うことになる。網（Network）の側面から見た時、使用者にとって不要なメディアデータを伝達することになり、全体的な網の効率性を低下させるという短所もある。
【０００３】
マルチメディアサービスを利用するにあたって、周辺の環境を考慮して、受信したメディアデータを全ては活用しない場合が多い。例えば、公共の場所ではオーディオの出力をオフ（OFF）にし、ビデオだけを鑑賞する。しかし、ミュージックビデオのような動画サービスの場合、ＲＴＳＰ端末には動画を構成するビデオ及びオーディオデータの両方が提供され、オーディオのオフは端末に設置されたメディア再生機のメニュー選択により具現される。これは、現在マルチメディアサービスを受ける時、端末機にて受信するコンテンツの構成を制御できないためである。よって、使用者は、メディア受信の際に不要なデータまで受信することになり、利用しないデータ受信に対する使用料までも負担しなければならない問題がある。
【０００４】
従って、無線データ通信網でメディアデータを転送している間、使用者に再生を望むメディアデータだけを提供する方法、及び使用者が伝達を受けることができるメディアデータを認知して転送する方法が必要である。
【発明の開示】
【発明が解決しようとする課題】
【０００５】
本発明の目的は、無線データ通信網でメディアを受信している間、使用者が受信するメディアデータを制御できるようにするＲＴＳＰ基盤の動的マルチメディア制御方法を提供することにある。
【課題を解決するための手段】
【０００６】
上記目的を達成するために、本発明の第１の観点によるマルチメディア端末におけるＲＴＳＰ基盤のマルチメディア制御方法は、ａ）上記マルチメディア端末機の使用者がマルチメディアの再生を選択する場合、上記マルチメディア端末機の状態を確認する段階；ｂ）段階ａ）の確認結果に基づいて、選択された上記マルチメディアのデータを要請するPLAYメッセージを発生させ、生成された上記PLAYメッセージを無線データ通信網を通してメディアサーバに転送する段階；ｃ）段階ｂ）以降、上記マルチメディア端末機の状態が変更されたかを判断する段階；及びｄ）段階ｃ）の判断の結果、上記マルチメディア端末機の状態が変更された場合、この変動した状態に対応する命令メッセージを生成し、生成された上記命令メッセージを転送する段階；を含む。
【０００７】
ここで、上記命令メッセージは、望ましくはSET_PARAMETERを通して転送される。しかし、上記命令メッセージは、単にＲＴＳＰのSET_PARAMETERだけでなく他のメッセージ(methodともいう。Play、Stop、connectなどがある。)等の組み合わせ又は変更によっても具現可能である。本発明では、SET_PARAMETERを例に挙げたが、実際はＲＴＳＰを用いた多様なメッセージ及びそれらの組み合わせでもその機能が代替できることに注目すべきである。
【０００８】
望ましくは、上記マルチメディア端末機の状態は、電話ベルの振動モード又はディスプレイモードを含む。
【０００９】
より望ましくは、上記段階ａ）において、マルチメディア端末機の状態が使用者が画面を見れないモードであると判断された場合、上記PLAYメッセージは、上記マルチメディアのデータからビデオデータを除外することを要請するメッセージであり、上記段階ａ）において、マルチメディア端末機の状態が振動モードであると判断された場合、上記PLAYメッセージは、上記マルチメディアのデータからオーディオデータを除外することを要請するメッセージである。
【００１０】
また望ましくは、上記SET_PARAMETERメッセージは、上記マルチメディアを構成する少なくとも一つ以上のメディアの各々を制御する命令を含む。
【００１１】
また望ましくは、上記段階ｃ）において、上記マルチメディア端末機が振動モード又は振動解除モードに変更されたと判断する場合、上記段階ｄ）で生成される上記SET_PARAMETERメッセージは、オーディオメディア転送の中止又は再開を要請するものである。
【００１２】
また望ましくは、上記段階ｃ）において、上記マルチメディア端末機が画面閉鎖又は画面開放モードに変更されたと判断する場合、上記段階ｄ）で生成される上記SET_PARAMETERメッセージは、ビデオメディア転送の中止又は再開を要請するものである。
【００１３】
また望ましくは、上記SET_PARAMETERメッセージは上記メディア制御のために定義された少なくとも一つ以上のパラメーター（parameter）を含む。
【００１４】
本発明の第２の観点による無線データ通信網におけるＲＴＳＰ基盤のマルチメディア制御方法は、無線データ通信網でＲＴＳＰによってマルチメディアデータを配布する方法において、ａ）ＲＴＳＰによってマルチメディア端末機で要請したマルチメディアデータを上記無線データ通信網を通して上記マルチメディア端末機に転送する段階；及びｂ）段階ａ）により上記マルチメディア端末機に上記マルチメディアデータを転送する間に、上記マルチメディア端末機から上記マルチメディアデータを制御するための命令が発生した場合、上記命令に従って上記マルチメディアデータを再構成し、再構成された上記マルチメディアデータを上記マルチメディア端末機に転送する段階；を含む。
【００１５】
望ましくは、上記命令はSET_PARAMETERメッセージを通して提供され、上記命令は上記メディアデータの転送中断の要請又は再転送の要請を含む。また、上記命令はSET_PARAMETERの少なくとも一つ以上のパラメーター(parameter)により定義される。
【００１６】
また望ましくは、上記メディアデータはビデオファイル、オーディオファイル及びテキストファイルのうち少なくとも一つ以上を含み、上記命令は上記ビデオファイル、オーディオファイル及びテキストファイルのぞれぞれに対する転送中断の要請又は再転送の要請を含む。
【００１７】
本発明の第３の観点による無線データ通信網におけるＲＴＳＰ基盤のマルチメディア制御方法は、無線データ通信網でＲＴＳＰによってメディアを配布する方法において、ａ）マルチメディア端末機からのメディア要請をメディアサーバで受信する段階；ｂ）上記マルチメディア端末機からの要請を受信する場合、この要請されたメディアデータを上記マルチメディア端末機に転送する段階；及びｃ）段階ｂ）により上記マルチメディアデータを上記マルチメディア端末機に転送する間に、上記マルチメディア端末機から上記マルチメディアデータの制御のための命令が発生した場合、上記命令に従って上記マルチメディアデータを制御する段階；を含み、上記命令はSET_PARAMETERメッセージを通して提供され、上記マルチメディアデータはビデオファイル、オーディオファイル及びテキストファイルのうち少なくとも一つ以上を含み、上記命令は上記ビデオファイル、オーディオファイル及びテキストファイル各々に対する転送中断の要請又は再転送の要請を含む。
【００１８】
望ましくは、上記マルチメディア端末機は、上記命令を転送して所定時間上記命令に対する応答がない場合は上記命令を再転送し、上記再転送が所定回数繰り返される場合は上記命令の転送を無視する。
【００１９】
また望ましくは、上記命令はSET_PARAMETERの少なくとも一つ以上のパラメーター（parameter）により定義される。
【００２０】
本発明の第４の観点による無線データ通信網におけるＲＴＳＰ基盤のマルチメディア制御方法は、ａ）マルチメディア端末機の使用者がマルチメディアの再生を選択する場合、上記マルチメディア端末機の状態を確認する段階；ｂ）段階ａ）の確認結果に基づいて、選択された上記マルチメディアのデータを要請するPLAYメッセージを発生させ、生成された上記PLAYメッセージを無線データ通信網を通してメディアサーバに転送する段階；ｃ）上記マルチメディア端末機からの上記PLAYメッセージを上記メディアサーバで受信する場合、該メディアサーバで上記PLAYメッセージに従ってマルチメディアデータを上記マルチメディア端末機に転送する段階；ｄ）段階ｂ）以降、上記マルチメディア端末機で同マルチメディア端末機の状態が変更されたかを判断する段階；ｅ）段階ｃ）の判断の結果、上記マルチメディア端末機の状態が変更された場合、この変動した状態に対応するSET_PARAMETERメッセージを生成し、生成された上記SET_PARAMETERメッセージを上記メディアサーバに転送する段階；及びｆ）段階ｃ）により上記マルチメディアデータを上記マルチメディア端末機に転送する間に、上記SET_PARAMETERメッセージを上記メディアサーバで受信する場合、上記SET_PARAMETERメッセージに従って上記マルチメディアデータを制御する段階；を含む。
【００２１】
望ましくは、上記マルチメディア端末機の状態は、電話ベルの振動モード又はディスプレイモードを含む。
【００２２】
また望ましくは、上記段階ａ）において、マルチメディア端末機の状態が使用者が画面を見れないモードであると判断された場合、上記PLAYメッセージは、上記マルチメディアのデータからビデオデータを除外することを要請するメッセージであり、上記段階ａ）において、マルチメディア端末機の状態が振動モードであると判断された場合、上記PLAYメッセージは、上記マルチメディアのデータからオーディオデータを除外することを要請するメッセージである。
【００２３】
また望ましくは、上記SET_PARAMETERメッセージは、上記マルチメディアを構成する少なくとも一つ以上のメディアの各々を制御する命令を含み、上記段階ｄ）において、上記マルチメディア端末機が振動モード又は振動解除モードに変更されたと判断する場合、上記段階ｅ）で生成される上記SET_PARAMETERメッセージは、オーディオメディア転送の中止又は再開を要請するメッセージである。また、上記段階ｄ）において、上記マルチメディア端末機が画面閉鎖又は画面開放モードに変更されたと判断する場合、上記段階ｅ）で生成される上記SET_PARAMETERメッセージは、ビデオメディア転送の中止又は再開を要請するメッセージである。
【００２４】
より望ましくは、上記SET_PARAMETERメッセージは、上記メディア制御のために定義された少なくとも一つ以上のパラメーター（parameter）を含む。
【発明の効果】
【００２５】
本発明によれば、無線データ網を通してマルチメディアサービスを受けている間、視聴環境の変化に伴って使用者が必要とするメディアデータだけを受信させ、不要なデータ受信による課金を防止することができる。
【発明を実施するための最良の形態】
【００２６】
以下、本発明の実施例を通して本発明をより詳しく説明する。
【００２７】
図１は、本発明によるＲＴＳＰ基盤の動的メディア制御方法が適用されるシステムの一例を示した図面である。
【００２８】
図２は、本発明の一実施例によるマルチメディア端末におけるＲＴＳＰ基盤のマルチメディア制御方法を説明するためのフローチャートである。
【００２９】
図３は、本発明の別の実施例によるマルチメディア端末におけるＲＴＳＰ基盤のマルチメディア制御方法を説明するためのフローチャートである。
【００３０】
図４は、本発明のまた別の実施例による無線データ通信網におけるＲＴＳＰ基盤のマルチメディア制御方法を説明するための信号フローチャートである。
【００３１】
図５は、図４におけるSET_PARAMETERメッセージの再転送過程を説明するためのフローチャートである。
【００３２】
本発明の実施例では、ＲＴＳＰ（Real Time Streaming Protocol）によってストリーミングセッション（Streaming Session）が管理され、それぞれのストリーミングデータ（streaming data）がＲＴＰによって転送される環境を仮定している。
【００３３】
本発明による方法が適用されるマルチメディア端末機１００は、ＲＴＳＰによってコンテンツをメディアサーバ２００に要請する。上記メディアサーバ２００は、上記要請に応答して、要請された上記コンテンツのメディアデータを上記ＲＴＳＰ端末１００に無線通信網を通して提供する。上記メディアデータを受信している間、上記マルチメディア端末機１００は、本発明によって上記メディアサーバ２００のメディアデータ転送を制御するためのＲＴＳＰに基づいて命令を発生させ、上記命令をＲＴＳＰによって上記メディアサーバ２００に転送する。すると、上記メディアサーバ２００は上記命令に従って各メディアデータの転送を制御する。
【００３４】
本発明による上記命令は、ＲＴＳＰのSET_PARAMETER方法によって定義される。本発明による上記SET_PARAMETER定義の一例を下の表１に示した。
【表１】
2007521776.tif 000003
【００３５】
表１のパラメーター定義によるSET_PARAMETERメッセージに対するマルチメディア端末機１００からの命令の発生、及びこれに対するメディアサーバ２００の応答の一例を下の表２に示した。
【表２】
2007521776.tif 000004
【００３６】
表２に示したSET_PARAMETERメッセージは、メディアサーバ２００にトラック１のデータ転送を中断することを要求しており、メディアサーバ２００は、上記SET_PARAMETERメッセージによってトラック１のデータを除外したメディアデータを上記マルチメディア端末機１００に提供する。望ましくは、上記マルチメディア端末機１００は、使用者の選択によってSET_PARAMETERメッセージを生成できるようにプログラムされる。上記端末のプログラム方式によって本発明が制限されないことは当業者ならば理解するはずである。
【００３７】
上記マルチメディア端末機１００はコンテンツを受信するために、ＲＴＳＰによって上記コンテンツを構成する各々のメディアに対するセッションを確立し、上記コンテンツを構成する各メディアを上記メディアサーバ２００に要請すると、上記メディアサーバ２００は上記要請に従って上記コンテンツの各メディアデータを上記マルチメディア端末機１００にストリームする。以降、上記マルチメディア端末機１００は、本発明によって上記コンテンツを再生している間に上記マルチメディア端末機１００の状態が変更された場合、この変動された状態に対応するSET_PARAMETERメッセージを生成し、生成された上記SET_PARAMETERメッセージを上記メディアサーバ２００に転送する。例えば、上記マルチメディア端末機の状態が振動モード又は振動解除モードに変更された場合、上記マルチメディア端末機１００は、オーディオメディア転送の中止又は再開を要請するSET_PARAMETERメッセージを上記メディアサーバ２００に提供し、該メディアサーバ２００が上記オーディオメディアデータの転送を中止又は再開するようになる。また、上記マルチメディア端末機１００が画面閉鎖又は画面開放モードに変更される場合、上記マルチメディア端末機１００は、ビデオメディア転送の中止又は再開を要請するSET_PARAMETERメッセージを上記メディアサーバ２００に転送し、該メディアサーバ２００のビデオメディア転送を中止又は再開させる。
【００３８】
以下、添付図面を参照し、本発明によるマルチメディア端末におけるＲＴＳＰ基盤のマルチメディア制御方法をより詳しく説明する。
【００３９】
まず、図２を参照し、使用者がマルチメディア端末機１００の各メディア再生状態を変更することによってメディアを制御する過程を説明する。
【００４０】
使用者がマルチメディア端末機１００のメニューからマルチメディアの再生を選択した場合、マルチメディア端末機１００はＴＣＰセッションでRTSP DESCRIBE（ＳＤＰ）メッセージを転送し、上記使用者が選択したコンテンツ（マルチメディア）の属性（description）を要請する。すると、メディアサーバ２００は上記DESCRIBEメッセージに応答して、上記コンテンツの属性を上記マルチメディア端末機１００に提供する（Ｓ６１乃至Ｓ６２）。
【００４１】
上記サーバ２００からのDESCRIBE応答を受信したマルチメディア端末機１００は、上記コンテンツの属性に応じて全てのメディアの各トラック、例えばトラック１のビデオ、トラック２のオーディオ、及びトラック３のテキストを全て要請するために、各々のSETUP要請メッセージを上記メディアサーバ２００に転送する。すると、上記SETUP要請メッセージの各々に応答し、上記メディアサーバ２００はその要請されたメディアの配布時に使用されるトランスポートメカニズム（Transport Mechanisms）を上記マルチメディア端末機１００に提供する。上記サーバ２００からのSETUP要請メッセージに対する応答を受信すると、上記マルチメディア端末機１００は、上記SETUPに明示されたメカニズムを通して、上記メディアの転送を要求するPLAYメッセージを上記メディアサーバ２００に転送する。すると、該サーバ２００は上記PLAYメッセージに応答して、要請されたメディアストリームを上記マルチメディア端末１００に提供する（Ｓ６３乃至Ｓ６５）。
【００４２】
上記メディアの再生中に、使用者は特定メディアの再生を中止しなければならない場合がある（又は、中止されている場合は再び再生）。この時、使用者は中止（又は、再び再生）しようとするメディアの状態を再生から中止（又は、中止から再び再生）へ変更させる。このような、上記端末機１００のメディア再生中の状態変更（stop／start）の指定は、マルチメディアの端末機１００の再生画面の下段にポップアップ（pop-up）メニュー（menu）を表示させ、初期設定時に定義されたメディアのタイプ（type）を認識してトラックＩＤと連結することにより、これらの停止／再転送（stop／start）を使用者が選択可能にして具現することができる。また、端末及び再生状態による制御に該当する場合、制御メニューは非活性化（Disablｅ）され得る。即ち、特定メディアのないコンテンツである場合、メニュー項目から削除するか非活性化することが望ましい。例えば、特定端末がビデオファイル、オーディオファイル、テキストファイルを有しているならば、初期メニューは全てON状態からOFF状態への変化が選択できるので、“ビデオOFF”、“オーディオOFF”及び“テキストOFF”項目を表示させることが望ましい。ビデオ再生がオフ（OFF）の状態では、“ビデオON”、“オーディオOFF”、及び“テキストOFF”のような方式で表示させることが望ましい（Ｓ６６）。
【００４３】
上記メディアの再生中に使用者が特定メディアの再生状態（中止、又は再び再生）を変更する場合、上記マルチメディア端末機１００は、本発明によって上記のような状態変更に対応するSET_PARAMETERメッセージを発生させ、発生した上記SET_PARAMETERメッセージを上記メディアサーバ２００に転送する。すると、該メディアサーバ２００は上記SET_PARAMETERメッセージに従って該当メディアの転送を中止させる。そして、このメディア転送の中止は、該当メディアの状態が変更されない限り維持される（Ｓ６７、Ｓ６８）。
【００４４】
次に、図３を参照し、マルチメディア端末機１００の振動モードへの設定に伴うメディア制御過程を説明する。
【００４５】
段階Ｓ１１において、使用者がマルチメディア端末機１００のメニューからマルチメディア再生を選択した場合、マルチメディア端末機１００はＴＣＰセッションでDESCRIBEメッセージを転送し、使用者が選択した上記コンテンツ（マルチメディア）の属性（description）を要請する。すると、メディアサーバ２００は上記DESCRIBEメッセージに応答して、上記コンテンツの属性を上記マルチメディア端末機１００に提供する（Ｓ１１乃至Ｓ１２）。
【００４６】
上記DESCRIBEメッセージに対する応答を受信した上記マルチメディア端末機１００は、上記コンテンツの属性及び端末の現状に応じて上記コンテンツの構成メディアを要請する。この時、上記マルチメディア端末機１００の現状が振動モードであるので、オーディオオフ命令のSET_PARAMETERメッセージを発生させ、該オーディオオフ命令のSET_PARAMETERメッセージを上記メディアサーバ２００に提供することで、該メディアサーバ２００の上記コンテンツのオーディオデータ転送を中止させる（Ｓ１３及びＳ１４）。
【００４７】
上記のメディア要請に従い、上記マルチメディア端末機１００はオーディオデータが除外されたコンテンツのメディアデータを受信し、これを再生する。再生中、使用者が上記振動モードを解除する場合、上記マルチメディア端末機１００は振動モードの解除に伴ってオーディオオンを命令するSET_PARAMETERメッセージを上記メディアサーバ２００に転送する。すると、該メディアサーバ２００は上記メッセージに応答してオーディオデータを含むストリームをＲＴＳＰ端末に転送し、上記コンテンツのオーディオが再生される（Ｓ１５、Ｓ１６、Ｓ１８）。
【００４８】
続いて、使用者が再び振動モードを選択すると、マルチメディア端末機１００は段階Ｓ１４でのように、再びSET_PARAMETERメッセージを転送し、オーディオをオフにする。これとは異なり、モードの変更がなければ、コンテンツの再生が完了するまで現状を維持する（Ｓ１７、Ｓ１８、Ｓ２０）。
【００４９】
次に、図４を参照し、マルチメディア端末機１００のビデオオフモード設定に伴うメディア制御過程を説明する。
【００５０】
段階Ｓ２１において、使用者がマルチメディア端末機１００のメニューからマルチメディア再生を選択した場合、マルチメディア端末機１００はＴＣＰセッションでDESCRIBEメッセージを転送し、使用者が選択した上記コンテンツ（マルチメディア）の属性（description）を要請する。すると、メディアサーバ２００は上記DESCRIBEメッセージに応答して、上記コンテンツの属性を上記マルチメディア端末機１００に提供する（Ｓ２１乃至Ｓ２２）。
【００５１】
上記DESCRIBE応答を受信した上記マルチメディア端末機１００は、上記コンテンツの属性及び端末の現状に応じて上記コンテンツの構成メディアを要請する。この時、上記マルチメディア端末機１００の現状がビデオオフモード（例えば、端末がフリップタイプの場合はフリップダウン状態、端末が折り畳みタイプの場合は閉じた状態）であるから、ビデオオフ命令のSET_PARAMETERメッセージを発生させて、上記ビデオオフ命令のSET_PARAMETERメッセージを上記メディアサーバ２００に提供することで、上記コンテンツのビデオデータ転送を中止させる（Ｓ２３乃至Ｓ２５）。
【００５２】
上記のメディア要請に従い、上記マルチメディア端末機１００はビデオデータが除外されたコンテンツのメディアデータを受信し、これを再生する。再生中、使用者がビデオオンモードにモード変更をする場合（例えば、端末がフリップタイプの場合はフリップアップ状態、端末が折り畳みタイプの場合は閉じた状態）、上記マルチメディア端末機１００はモード変更に伴ってビデオオンを命令するSET_PARAMETERメッセージを上記メディアサーバ２００に転送する。すると、該メディアサーバ２００は、上記メッセージに応答してビデオデータを含むストリームをマルチメディア端末機１００に転送し、上記コンテンツのビデオが再生される（Ｓ２６、Ｓ２７、Ｓ２９）。
【００５３】
続いて、使用者が再びビデオオフモードを選択すると、マルチメディア端末機１００は段階Ｓ２５でのように、再びSET_PARAMETERメッセージを転送してビデオをオフにする。これとは異なり、モードの変更がなければ、コンテンツの再生が完了するまで現状を維持する（Ｓ２８及びＳ３０）。
【００５４】
以下、図５及び図６を参照し、本発明のまた別の実施例による無線データ通信網におけるＲＴＳＰ基盤のマルチメディア制御方法をより詳しく説明する。
【００５５】
上述した通り、本発明の実施例では、ＲＴＳＰ（Real Time Streaming Protocol）によってストリーミングセッション（Streaming Session）が管理され、それぞれのストリーミングデータ（streaming data）がＲＴＰによって転送される環境を仮定している。
【００５６】
図５を参照すると、本発明による方法が適用されるメディアサーバ２００は、マルチメディア端末機１００からのメディアデータ要請を受信する場合、要請された上記メディアデータを上記マルチメディア端末機１００に転送する。上記メディアデータを上記マルチメディア端末機１００に転送する間に、上記マルチメディア端末機１００からの上記メディアデータの制御のための命令を上記メディアサーバ２００で受信する場合、該メディアサーバ２００は上記命令に従って上記メディアデータを制御する。上記命令は、ＲＴＳＰのSET_PARAMETERメッセージを通して端末１００から発生し、上記サーバ２００に提供される。上記メディアデータは、コンテンツによって一つ以上のメディアから構成され得る。例えば、上記メディアデータはビデオファイル、オーディオファイル及びテキストファイルのうち少なくとも一つ以上を含む。また、上記命令は上記ビデオファイル、オーディオファイル及びテキストファイルの各々に対する転送の中断又は再転送を含む。
【００５７】
上記マルチメディア端末機１００はコンテンツを受信するために、ＲＴＳＰ方法によって上記コンテンツを構成するメディア各々に対するセッションを確立し、上記コンテンツを構成する各メディアを上記サーバ２００に要請すると、該サーバ２００は上記の要請に従って上記コンテンツのメディアデータを上記メディア端末１００にストリームする。
【００５８】
上記マルチメディア端末機１００は、上記コンテンツのメディアデータを制御するために、表１のパラメーター定義に従ってSET_PARAMETERメッセージを発生させ、これを上記メディアサーバ２００に提供する。
【００５９】
上記マルチメディア端末機１００からSET_PARAMETERメッセージが発生すると、これに対して上記メディアサーバ２００は、先に説明した通り表２のように応答できる。
【００６０】
表２に示したSET_PARAMETERメッセージは、サーバ２００にトラック１のデータ転送の中断を要求しており、上記サーバ２００は、上記SET_PARAMETERメッセージに従ってトラック１のデータを除外したメディアデータを上記端末１００にストリームする。
【００６１】
以下、本発明による無線データ通信網におけるＲＴＳＰ基盤のメディア制御方法をより詳しく説明する。
【００６２】
図５を参照すると、上記マルチメディア端末機１００は、ＴＣＰセッションでDESCRIBEメッセージを転送して望みのコンテンツの属性（description）を要請する。すると、上記DESCRIBEメッセージに対する応答として、上記メディアサーバ２００は、上記コンテンツを構成する各メディアの全ての属性を上記端末１００に提供する（Ｓ３１乃至Ｓ３３）。
【００６３】
上記サーバ２００からのDESCRIBEメッセージに対する応答としてコンテンツの属性を受信したマルチメディア端末機１００は、使用者の選択に従って望みのメディア、例えばトラック１のビデオファイル、トラック２のオーディオファイル、及びトラック３のテキストファイルを要請するために、各々のSETUP要請メッセージを上記メディアサーバ２００に転送する。すると、上記SETUP要請メッセージ各々に応答して、上記メディアサーバ２００は、その要請されたメディアの配布時に使われるトランスポートメカニズム（Transport Mechanisms）を上記マルチメディア端末機１００に提供する（Ｓ３４乃至Ｓ３９）。
【００６４】
上記サーバ２００からSETUPメッセージ応答を受信した場合、上記マルチメディア端末機１００は、上記SETUPに明示されたメカニズムを通して、上記メディアの転送を要求するPLAYメッセージを上記メディアサーバ２００に転送する。すると、該サーバ２００は、上記PLAYメッセージに応答して、要請されたメディアストリームを上記マルチメディア端末１００に提供する（Ｓ４０乃至Ｓ４２）。
【００６５】
上記要請されたメディアストリームの転送中に、本発明によって上記マルチメディア端末機１００からは上記メディアストリームを制御するためのSET_PARAMETERメッセージが発生され得る。例えば、上記マルチメディア端末機１００のメディア再生中の周辺環境により、使用者は特定メディアの再生を中断する必要が生じることがある。この時、使用者がメディア再生の状態変化（stop／start）を指定できるように、例えば上記端末１００の再生画面の下段にポップアップ（pop-up）メニュー（menu）を表示させ、初期設定時に定義されたメディアのタイプ（type）を認識してトラックＩＤと連結することにより、これらの停止／再転送（stop／start）が選択可能な再生機を装着することが望ましい。また、端末及び再生状態による制御に該当する場合、制御メニューは非活性化（Disablｅ）され得る。即ち、特定メディアのないコンテンツである場合、メニュー項目から削除するか非活性化することが望ましい。例えば、特定端末がビデオファイル、オーディオファイル、テキストファイルを有しているならば、初期メニューは全てON状態からOFF状態への変化が選択できるので、“ビデオOFF”、“オーディオOFF”及び“テキストOFF”項目を表示させることが望ましい。ビデオ再生がオフ（OFF）の状態では、“ビデオON”、“オーディオOFF”、及び“テキストOFF”のような方式で表示させることが望ましい。しかし、本実施例は、上記マルチメディア端末機１００に装着する再生機によって制限されるものではない。
【００６６】
段階Ｓ４３において、上記表２に示したように、トラック１のビデオ転送の中断を命令するSET_PARAMETERメッセージが上記マルチメディア端末１００から発生した場合、上記メディアサーバ２００は、SET_PARAMETERメッセージに応答して、上記命令に従い上記コンテンツからビデオトラック１を除外した残りのメディアのストリームを上記マルチメディア端末機１００に提供する（Ｓ４３及びＳ４４）。
【００６７】
続いて、再生環境の変更により、上記使用者がマルチメディア端末機１００のメニューからビデオ再生を選択した場合、上記マルチメディア端末機１００からは再転送を要求する命令に対するSET_PARAMETERメッセージが発生する。すると、上記メディアサーバ２００は、上記命令に従ってビデオデータを含むストリームを上記マルチメディア端末機１００に転送する（Ｓ４４及びＳ４５）。
【００６８】
一方、上記マルチメディア端末機１００から転送されたSET_PARAMETERメッセージに対する上記メディアサーバ２００からの応答を所定時間、例えば３秒間受信できない場合、上記マルチメディア端末機１００は、図６に示したように所定回数、例えば３回まで繰り返し送り、最終的に応答がなければ無視して動作する（Ｓ５１乃至Ｓ５５）。仮に、以前のSET_PARAMETERメッセージに対する応答が来ない状況で別のSET_PARAMETERが上記マルチメディア端末機１００から上記メディアサーバ２００に転送されると、タイマー及びカウンターはリセットされる（Ｓ５６及びＳ５７）。
【００６９】
従って、上記構成によれば、端末機の使用中に、コンテンツの特性に応じてコンテンツを構成する全体メディア中の特定メディアを中断したり、或いは使用者が品質に満足できない場合は、データ量の多いメディアを使用者が任意に遮断することができる。また、使用者の立場では、不要なデータを受信しないため、パケット課金料を節約でき、結果的に、不要なトラフィックの低減により、無線網資源及びシステム資源の節約、並びに効率性の極大化をもたらし得る。
【００７０】
以上説明した通り、本発明によれば、無線データ通信網でメディアを転送する間に受信側の選択によって、転送されるメディアデータを制御できる、無線データ通信網におけるＲＴＳＰ基盤の動的メディア制御方法を実現することができる。
【００７１】
本発明を上記実施例によって具体的に説明したが、本発明はこれに限定されるのではなく、当業者の通常の知識範囲内で様々な変形及び改良が可能である。
【図面の簡単な説明】
【００７２】
【図１】本発明によるＲＴＳＰ基盤の動的メディア制御方法が適用されるシステムの一例を示した図面である。
【図２】本発明の一実施例によるマルチメディア端末におけるＲＴＳＰ基盤のマルチメディア制御方法を説明するためのフローチャートである。
【図３】本発明の別の実施例によるマルチメディア端末におけるＲＴＳＰ基盤のマルチメディア制御方法を説明するためのフローチャートである。
【図４】本発明の別の実施例によるマルチメディア端末におけるＲＴＳＰ基盤のマルチメディア制御方法を説明するためのフローチャートである。
【図５】本発明のまた別の実施例による無線データ通信網におけるＲＴＳＰ基盤のマルチメディア制御方法を説明するための信号フローチャートである。
【図６】図５におけるSET_PARAMETERメッセージの再転送過程を説明するためのフローチャートである。
【符号の説明】
【００７３】
１００  マルチメディア端末機
２００  メディアサーバ
【図１】
2007521776.tif 000005
【図２】
2007521776.tif 000006
【図３】
2007521776.tif 000007
【図４】
2007521776.tif 000008
【図５】
2007521776.tif 000009
【図６】
2007521776.tif 000010
【国際調査報告】
2007521776.tif 000011
2007521776.tif 000012